【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
少なくとも１つの画素と、少なくとも１つのソース信号線と、少なくとも１つのゲート信号線とを有する液晶表示装置において、
デジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路とを有することを特徴とする液晶表示装置。
【請求項２】
少なくとも１つの画素と、少なくとも１つのソース信号線と、少なくとも１つのゲート信号線とを有する液晶表示装置において、
デジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
前記Ｄ／Ａ変換回路の出力信号を増幅する増幅回路とを有することを特徴とする液晶表示装置。
【請求項３】
少なくとも１つの画素と、少なくとも１つのソース信号線と、少なくとも１つのゲート信号線とを有する液晶表示装置において、
デジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
前記Ｄ／Ａ変換回路の出力信号を減衰する減衰回路とを有することを特徴とする液晶表示装置。
【請求項４】
少なくとも１つの画素と、少なくとも１つのソース信号線と、少なくとも１つのゲート信号線とを有する液晶表示装置において、
デジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
前記Ｄ／Ａ変換回路によって変換されたアナログ音声信号を含む、複数の異なるアナログ音声信号から信号を選択するスイッチとを有することを特徴とする液晶表示装置。
【請求項５】
少なくとも１つの画素と、少なくとも１つのソース信号線と、少なくとも１つのゲート信号線とを有する液晶表示装置において、
デジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
前記Ｄ／Ａ変換回路によって変換されたアナログ音声信号と外部から入力されたアナログ音声信号よりなる、複数の異なるアナログ音声信号から一つを選択するスイッチと、
前記スイッチの出力信号を増幅する増幅回路とを有することを特徴とする液晶表示装置。
【請求項６】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
前記Ｄ／Ａ変換回路の出力信号を減衰させる減衰回路と、
外部から入力されたアナログ信号または前記減衰回路からの出力信号のいずれか一方を選択するするスイッチとを有することを特徴とした液晶表示装置。
【請求項７】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
外部から入力されるアナログ信号を増幅する増幅回路と、
前記増幅回路の出力信号または前記Ｄ／Ａ変換回路の出力信号のいずれか一方を選択するスイッチとを有することを特徴とした液晶表示装置。
【請求項８】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
前記Ｄ／Ａ変換回路の出力信号を減衰させる減衰回路と、
外部から入力されるアナログ信号を増幅する増幅回路と、
前記減衰回路の出力信号または前記増幅回路の出力信号のいずれか一方を選択するスイッチとを有することを特徴とした液晶表示装置。
【請求項９】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
前記Ｄ／Ａ変換回路の出力信号を減衰させる減衰回路と、
外部から入力されるアナログ信号または前記減衰回路の出力信号のいずれか一方を選択するスイッチと、
前記スイッチの出力信号を増幅する増幅回路とを有することを特徴とした液晶表示装置。
【請求項１０】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
外部から入力されるアナログ信号を増幅する第１の増幅回路と、
前記第１の増幅回路の出力信号または前記Ｄ／Ａ変換回路の出力信号のいずれか一方を選択するスイッチと、
前記スイッチの出力信号を増幅する第２の増幅回路とを有することを特徴とした液晶表示装置。
【請求項１１】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
前記Ｄ／Ａ変換回路の出力信号を減衰させる減衰回路と、
外部から入力されるアナログ信号を増幅する第１の増幅回路と、
前記第１の増幅回路の出力信号または前記減衰回路の出力信号のいずれか一方を選択するスイッチと、
前記スイッチの出力信号を増幅する第２の増幅回路とを有することを特徴とした液晶表示装置。
【請求項１２】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
外部から入力されたアナログ信号または前記Ｄ／Ａ変換回路の出力信号のいずれか一方を選択するスイッチと、
前記スイッチの出力信号を増幅する増幅回路とを有し、
前記増幅回路は前記スイッチの状態に合わせて利得が変化することを特徴とした液晶表示装置。
【請求項１３】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
前記Ｄ／Ａ変換回路の出力信号を減衰させる減衰回路と、
外部から入力されたアナログ信号または前記減衰回路の出力信号のいずれか一方を選択するスイッチと、
前記スイッチの出力信号を増幅する増幅回路とを有し、
前記増幅回路は前記スイッチの状態に合わせて利得が変化することを特徴とした液晶表示装置。
【請求項１４】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
外部から入力されるアナログ信号を増幅する第１の増幅回路と、
前記第１の増幅回路の出力信号または前記Ｄ／Ａ変換回路の出力信号のいずれか一方を選択するスイッチと、
前記スイッチの出力信号を増幅する第２の増幅回路とを有し、
前記第２の増幅回路は前記スイッチの状態に合わせて利得が変化することを特徴とした液晶表示装置。
【請求項１５】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路と、
外部から入力されるアナログ信号を増幅する第１の増幅回路と、
前記Ｄ／Ａ変換回路の出力信号を減衰させる減衰回路と、
前記第１の増幅回路の出力信号または前記減衰回路の出力信号のいずれか一方を選択するスイッチと、
前記スイッチの出力信号を増幅する第２の増幅回路とを有し、
前記第２の増幅回路は前記スイッチの選択状態に合わせて利得が変化することを特徴とした液晶表示装置。
【請求項１６】
少なくとも１つの画素と、少なくとも１つのソース信号線と、少なくとも１つのゲート信号線とを有する液晶表示装置において、
外部から入力されるデジタル音声信号をＤ／Ａ変換するＤ／Ａ変換回路と、
前記ゲート信号線または前記ソース信号線を駆動する信号線駆動回路と、
前記信号線駆動回路と前記Ｄ／Ａ変換回路とに同じ電源電圧を供給する電源回路とを有し、
前記Ｄ／Ａ変換回路から出力されたアナログ音声信号を含む少なくとも二つのアナログ音声信号の中から、一つを選択して出力する切り換える切り換え回路と、
前記少なくとも二つのアナログ音声信号のレベルをそろえるための補正回路とを有することを特徴とする液晶表示装置。
【請求項１７】
請求項１２または請求項１３において、
前記増幅回路はオペアンプであり、帰還抵抗の抵抗値を変化させることによって前記利得を変化させることを特徴とした液晶表示装置。
【請求項１８】
請求項１４または請求項１５において、
前記第２の増幅回路はオペアンプであり、帰還抵抗の抵抗値を変化させることによって前記利得を変化させることを特徴とした液晶表示装置。
【請求項１９】
請求項１乃至請求項１８のいずれか一項において、
前記信号線駆動回路および前記Ｄ／Ａ変換回路は絶縁基板上に一体形成されていることを特徴とした液晶表示装置。
【請求項２０】
請求項１乃至請求項１９のいずれか一項において、
前記信号線駆動回路および前記Ｄ／Ａ変換回路は薄膜トランジスタを用いて形成されていることを特徴とした液晶表示装置。
【請求項２１】
請求項１乃至請求項２０のいずれか一項において、
前記Ｄ／Ａ変換回路は抵抗ストリング式のＤ／Ａ変換回路であり、
前記抵抗ストリング式のＤ／Ａ変換回路を構成する抵抗は薄膜半導体を用いたものであることを特徴とした液晶表示装置。
【請求項２２】
請求項２１において、
前記薄膜半導体と、前記薄膜半導体の上方または下方に形成される導電体膜との間で容量を形成していることを特徴とした液晶表示装置。
【請求項２３】
請求項１乃至請求項２０のいずれか一項において、
前記Ｄ／Ａ変換回路は抵抗ストリング式のＤ／Ａ変換回路であり、
前記抵抗ストリング式のＤ／Ａ変換回路を構成する抵抗は金属薄膜を用いたものであることを特徴とした液晶表示装置。
【請求項２４】
請求項２３において、
前記金属薄膜と、前記金属薄膜の上方または下方に形成される導電体膜との間で容量を形成していることを特徴とした液晶表示装置。
【請求項２５】
請求項１乃至請求項２４のいずれか一項に記載の液晶表示装置を備える電子機器。